(57)【要約】【課題】チャンネル設定後にユーザがＥＰＧをすぐに利用可能となるデジタル放送受信装置を提供する。【解決手段】所定の初期周波数から所定の最終周波数まで指定周波数を変更しながらチューナが指定周波数の放送信号を同調抽出できたか否かを確認する確認手段と、前記確認手段が前記チューナが同調抽出できたことを確認した場合に、操作手段の操作キーにチャンネルを設定するチャンネル設定に必要なトランスポートストリームから分離された所定の情報を第一の記憶手段に記憶させ、トランスポートストリームから分離されたＥＰＧデータを第二の記憶手段に記憶させる制御手段とを備えたデジタル放送受信装置。【選択図】図１
2008294888.tif 000002
【特許請求の範囲】
【請求項１】
デジタル放送信号から指定された周波数の放送信号を同調抽出するチューナと、
前記チューナが同調抽出した放送信号からトランスポートストリームを取出すトランスポートストリーム取出し手段と、
所定の初期周波数から所定の最終周波数まで指定周波数を変更しながら前記チューナが指定周波数の放送信号を同調抽出できたか否かを確認する確認手段と、
前記確認手段が前記チューナが同調抽出できたことを確認した場合に、操作手段の操作キーにチャンネルを設定するチャンネル設定に必要な前記トランスポートストリームから分離された所定の情報を第一の記憶手段に記憶させ、前記トランスポートストリームから分離されたＥＰＧ（電子番組表）データを第二の記憶手段に記憶させる制御手段と、
を備えることを特徴とするデジタル放送受信装置。
【請求項２】
前記所定の情報は、ＴＳ（Transport Stream）ＩＤであることを特徴とする請求項１に記載のデジタル放送受信装置。
【請求項３】
前記第一の記憶手段は、不揮発性メモリであることを特徴とする請求項１または請求項２に記載のデジタル放送受信装置。
【請求項４】
前記第二の記憶手段は、不揮発性メモリであることを特徴とする請求項１〜請求項３のいずれかに記載のデジタル放送受信装置。
【発明の詳細な説明】
【技術分野】
【０００１】
本発明は、デジタル放送受信装置に関するものである。
【背景技術】
【０００２】
従来から、地上デジタル放送受信に対応したハードディスクレコーダ、ＤＶＤレコーダ、テレビ等が登場している。
【０００３】
このような従来のデジタル放送受信装置においては、ユーザ購入後の初回起動時に、チャンネルサーチによるいわゆるチャンネル設定がされていた。チャンネル設定後、ユーザがリモコンの数字キーを操作すれば、その数字キーの数字のチャンネルの放送がデジタル放送受信装置により選局され、ユーザは選局された放送を視聴できた。
【特許文献１】特開２００３−３７７８８号公報
【発明の開示】
【発明が解決しようとする課題】
【０００４】
しかし、上記従来のデジタル放送受信装置では、チャンネル設定後、ユーザがＥＰＧ（電子番組表）を利用したい場合、ユーザはリモコン操作により各チャンネルの選局を行い、ＥＰＧデータをデジタル放送受信装置に取得させる必要があった。これは、地上デジタル放送においては、各放送局の放送波にはその放送局のみのＥＰＧデータが重畳されているからである。
【０００５】
また、上記従来のデジタル放送受信装置では、チャンネル設定後、ユーザがＥＰＧを利用したい場合、ユーザがメニュー画面よりＥＰＧ取得を選択し、デジタル放送受信装置がＥＰＧデータを取得するという方法もあったが、このときデジタル放送受信装置は自動で各チャンネルの選局を行ってＥＰＧデータを取得していた。
【０００６】
このように上記いずれの場合も、チャンネル設定後にユーザがＥＰＧを利用したい場合、ＥＰＧが利用できるまでに時間がかかってしまうという問題点があった。
【０００７】
なお、特許文献１には、選局可能なチャンネルについて放送有無の受信状態を記憶部に記憶し、サーバにアクセスしてサーバに登録された各放送サービスのチャンネル情報から各放送サービスについてチャンネル毎の放送有無を記憶部に記憶し、上記記憶された各内容の比較により放送サービスを特定し、サーバから特定された放送サービスのＥＰＧデータをダウンロードするようなテレビが開示されているが、上記のような問題点を解決するものではない。
【０００８】
上記問題点を鑑み、本発明は、チャンネル設定後にユーザがＥＰＧをすぐに利用可能となるデジタル放送受信装置を提供することを目的とする。
【課題を解決するための手段】
【０００９】
上記目的を達成するために本発明のデジタル放送受信装置は、デジタル放送信号から指定された周波数の放送信号を同調抽出するチューナと、
前記チューナが同調抽出した放送信号からトランスポートストリームを取出すトランスポートストリーム取出し手段と、
所定の初期周波数から所定の最終周波数まで指定周波数を変更しながら前記チューナが指定周波数の放送信号を同調抽出できたか否かを確認する確認手段と、
前記確認手段が前記チューナが同調抽出できたことを確認した場合に、操作手段の操作キーにチャンネルを設定するチャンネル設定に必要な前記トランスポートストリームから分離された所定の情報を第一の記憶手段に記憶させ、前記トランスポートストリームから分離されたＥＰＧ（電子番組表）データを第二の記憶手段に記憶させる制御手段と、
を備える構成としている。
【００１０】
このような構成によれば、チャンネル設定後、第二の記憶手段には受信可能な各チャンネルのＥＰＧデータが記憶された状態であるから、チャンネル設定後にユーザはすぐにＥＰＧを利用可能となる。
【００１１】
また、上記構成において、前記所定の情報は、例えば、ＴＳ（Transport Stream）ＩＤとすればよい。
【００１２】
また、上記構成において、前記第一の記憶手段は、例えば、不揮発性メモリとすればよい。
【００１３】
また、上記構成において、前記第二の記憶手段は、例えば、不揮発性メモリとすればよい。
【発明の効果】
【００１４】
本発明のデジタル放送受信装置によれば、チャンネル設定後にユーザがＥＰＧをすぐに利用可能となる。
【発明を実施するための最良の形態】
【００１５】
以下、本発明に係る実施形態について図面を参照して説明する。ここでは、ハードディスクレコーダを一例として説明する。
【００１６】
図１に、本発明に係るハードディスクレコーダの概略構成図を示す。図１に示すよう、本発明に係るハードディスクレコーダは、チューナ２と、復調部３と、誤り訂正部４と、デマルチプレクサ５と、映像音声デコード部６と、音声Ｄ／Ａ変換部７と、映像合成部８と、映像Ｄ／Ａ変換部９と、制御部１０と、ＨＤＤ（ハードディスクドライブ）１１と、不揮発性メモリ１２と、ＯＳＤ（Ｏｎ  Ｓｃｒｅｅｎ  Ｄｉｓｐｌａｙ）部１３と、リモコン受信部１４と、を備える。また、アンテナ１はチューナ２に接続され、テレビ１５は音声Ｄ／Ａ変換部７および映像Ｄ／Ａ変換部９に接続される。
【００１７】
アンテナ１は、地上波放送局から送信されてくる地上デジタル放送波を受信し、放送波を高周波放送信号に変換してチューナ２に出力する。
【００１８】
チューナ２は、アンテナ１から入力される高周波放送信号から制御部１０が送信する選局データで指定される周波数の信号を同調抽出し、抽出された信号を中間周波信号に周波数変換して中間周波信号を復調部３に出力する。
【００１９】
復調部３は、チューナ２から入力される中間周波信号をデジタル復調しトランスポートストリームを取り出して誤り訂正部４に出力する。
【００２０】
誤り訂正部４は、復調部３から入力されるトランスポートストリームに対して誤り訂正処理を行い、処理後のトランスポートストリームをデマルチプレクサ５に出力する。
【００２１】
デマルチプレクサ５は、誤り訂正部４から入力されるトランスポートストリームから映像データ、音声データおよび付加データを分離し、映像データおよび音声データを映像音声デコード部６に出力し、付加データを制御部１０に出力する。
【００２２】
映像音声デコード部６は、デマルチプレクサ５から入力される映像データおよび音声データをデコードし、デコードされた映像データを映像合成部８に出力し、デコードされた音声データを音声Ｄ／Ａ変換部７に出力する。
【００２３】
音声Ｄ／Ａ変換部７は、映像音声デコード部６から入力される音声データをＤ／Ａ変換し、アナログ音声信号をテレビ１５に出力する。
【００２４】
ＯＳＤ部１３は、制御部１０の指示によりＯＳＤ映像データを生成して映像合成部８に出力する。映像合成部８は、映像音声デコード部６から入力される映像データおよびＯＳＤ部１３から入力されるＯＳＤ映像データを合成して合成映像データを映像Ｄ／Ａ変換部９に出力する。また、映像合成部８は、上記合成をせずにＯＳＤ映像データを映像Ｄ／Ａ変換部９に出力もする。
【００２５】
映像Ｄ／Ａ変換部９は、映像合成部８から入力される合成映像データやＯＳＤ映像データをＤ／Ａ変換し、アナログ映像信号をテレビ１５に出力する。
【００２６】
ＨＤＤ１１は、ハードディスクを内蔵し、映像音声データをハードディスクに記録させたり、ハードディスクから映像音声データを再生したりする。
【００２７】
不揮発性メモリ１２は、例えばＥＥＰＲＯＭであり、各種設定情報やＥＰＧデータが記憶される。
【００２８】
リモコン１６は、数字キー、ＥＰＧ表示用キー等のキーを有しており、キー操作されるとその操作に対応するリモコンコードを赤外線信号に変換してリモコン受信部１４に送信する。リモコン受信部１４は、リモコン１６から赤外線信号を受信すると赤外線信号をリモコンコードに変換しリモコンコードを制御部１０に出力する。
【００２９】
次に、本発明に係るハードディスクレコーダにおけるチャンネル設定動作について図２に示すフローチャートを用いて説明する。本チャンネル設定動作は、工場出荷後、ハードディスクレコーダの初回起動時に行われる。
【００３０】
まず、制御部１０は、所定の初期周波数を指定して選局データをチューナ２に送信し、ステップＳ２０で、チューナ２が指定した周波数の高周波放送信号を同調抽出できたか否かを確認する。
【００３１】
そして、チューナ２の同調抽出を確認した場合は（ステップＳ２１のＹ）、ステップＳ２２に進み、チューナ２が同調抽出できないことを確認した場合は（ステップＳ２１のＮ）、ステップＳ２４に進む。
【００３２】
ステップＳ２２で、制御部１０は、デマルチプレクサ５がトランスポートストリームから分離したＴＳ（Transport Stream）  ＩＤを不揮発性メモリ１２に記憶させる（図３）。ＴＳ  ＩＤは放送局名を表す情報である。また、このとき制御部１０は、現在の指定周波数をＴＳ  ＩＤに対応させて不揮発性メモリ１２に記憶させる（図３）。
【００３３】
ステップＳ２２の後、ステップＳ２３で、制御部１０は、デマルチプレクサ５がトランスポートストリームから分離したＥＰＧデータを不揮発性メモリ１２に記憶させる。そして、ステップＳ２４に進む。
【００３４】
ステップＳ２４では、制御部１０は、現在の指定周波数が所定の最終周波数であるか否かを判定する。もし、最終周波数でなければ（ステップＳ２４のＮ）、ステップＳ２５に進む。
【００３５】
ステップＳ２５で、制御部１０は、現在の指定周波数に所定値を加算した周波数を新たな指定周波数として選局データをチューナ２に送信し、ステップＳ２０に戻り、制御部１０は、チューナ２が同調抽出できたか否かを確認する。
【００３６】
そして、ステップＳ２５での加算により上記初期周波数から指定周波数が序々に高くなり上記最終周波数に達すると、ステップＳ２４で現在の指定周波数が最終周波数であると判定され（ステップＳ２４のＹ）、ステップＳ２６に進む。
【００３７】
ステップＳ２６で、制御部１０は、ＴＳ  ＩＤとリモコン１６の数字キーに対応するリモコンコードとの対応関係を表す不図示のＲＯＭに記憶されたテーブル（数字キーの数字はＴＳ  ＩＤが表す放送局のチャンネル番号）（図４）を用いて、不揮発性メモリ１２に記憶された各ＴＳ  ＩＤに対応する各リモコンコードを不揮発性メモリ１２に各ＴＳ  ＩＤに対応させて記憶させる（図３）。
【００３８】
以上でチャンネル設定動作は完了する。このとき、不揮発性メモリ１２には、受信可能な各チャンネルについてのＴＳ  ＩＤ、指定周波数およびリモコンコードの対応関係と、受信可能な各チャンネルのＥＰＧデータが記憶されている。
【００３９】
以降、リモコン１６の数字キーが操作されると、リモコン１６は操作された数字キーに対応するリモコンコードを赤外線信号としてリモコン受信部１４に送信し、リモコン受信部１４は赤外線信号を受信してリモコンコードを制御部１０に出力し、制御部１０は、不揮発性メモリ１２に記憶されたリモコンコードと指定周波数の対応関係においてリモコン受信部１４から入力されるリモコンコードに対応している指定周波数を指定して選局データをチューナ２に送信する。すると、チューナ２が同調抽出する指定周波数の高周波放送信号に基づきテレビ１５において映像が表示され音声が発せられる。この映像および音声は、操作された数字キーの数字のチャンネルの放送映像および放送音声となる。
【００４０】
また、上記チャンネル設定動作の後、リモコン１６のＥＰＧ表示用キーが操作されると、制御部１０はリモコン受信部１４から対応するリモコンコードを入力され、不揮発性メモリ１２に記憶されたＥＰＧデータをＯＳＤ部１３に出力し、ＯＳＤ部１３はＥＰＧデータに基づきＯＳＤ映像データを生成して映像合成部８に出力し、テレビ１５にＥＰＧが表示される。このように、チャンネル設定後にユーザはＥＰＧをすぐに利用可能となる。
【００４１】
なお、上記の実施形態はハードディスクレコーダであったが、本発明はこれに限らず、ＤＶＤレコーダ、テレビ等にも適用可能である。
【図面の簡単な説明】
【００４２】
【図１】は、本発明に係るハードディスクレコーダの概略構成図である。
【図２】は、本発明に係るハードディスクレコーダにおけるチャンネル設定動作に関するフローチャートである。
【図３】は、不揮発性メモリの記憶内容の説明図である。
【図４】は、ＴＳ  ＩＤとリモコンコードの対応関係を表すテーブルの説明図である。
【符号の説明】
【００４３】
１    アンテナ
２    チューナ
３    復調部
４    誤り訂正部
５    デマルチプレクサ
６    映像音声デコード部
７    音声Ｄ／Ａ変換部
８    映像合成部
９    映像Ｄ／Ａ変換部
１０    制御部
１１    ＨＤＤ
１２    不揮発性メモリ
１３    ＯＳＤ部
１４    リモコン受信部
１５    テレビ
１６    リモコン
【図１】
2008294888.tif 000003
【図２】
2008294888.tif 000004
【図３】
2008294888.tif 000005
【図４】
2008294888.tif 000006